(57)【特許請求の範囲】
【請求項１】
解剖学的画像補正システムにおいて、前記システムが、
対象のスキャン中に取得された欠損した解剖学的画像データ及び前記対象のＰＥＴスキャン中に取得された陽電子放出断層撮影（ＰＥＴ）データを記憶するメモリと、
前記取得されたＰＥＴデータから非減衰補正（ＮＡＣ）ＰＥＴ画像を再構成し、前記取得された欠損した解剖学的画像データから減衰マップを生成し、前記ＮＡＣ  ＰＥＴ画像内の輪郭を使用して前記減衰マップ内の欠損した画像データを補償するプロセッサと、
を有し、
前記プロセッサが、前記減衰マップの欠損した領域に対応する前記ＮＡＣ  ＰＥＴ画像内の輪郭を識別し、前記識別された輪郭に応じて前記減衰マップの前記欠損した領域を補正するのに使用する組織タイプを推測する、システム。
【請求項２】
前記プロセッサが、前記減衰マップ内のデータの精度の尤度を決定する、請求項１に記載のシステム。
【請求項３】
前記プロセッサは、領域内の欠損したデータが所定の閾値より下の精度の尤度を持つかどうかを決定することにより前記減衰マップの欠損した領域を識別する、請求項２に記載のシステム。
【請求項４】
前記プロセッサが、前記欠損した領域を補正するのに前記推測された組織タイプと調和する補間データで前記欠損した領域を埋める、請求項１に記載のシステム。
【請求項５】
前記プロセッサが、前記ＰＥＴデータから減衰補正ＰＥＴ画像を再構成するのに前記補正された減衰マップを使用する、請求項４に記載のシステム。
【請求項６】
前記欠損した解剖学的画像を取得する撮像装置と、前記ＰＥＴデータを取得するＰＥＴスキャナとを有する、請求項１ないし５のいずれか一項に記載のシステム。
【請求項７】
前記ＮＡＣ  ＰＥＴ画像、前記減衰マップ、並びに前記ＮＡＣ  ＰＥＴ画像及び前記減衰マップのオーバレイをユーザに提示するディスプレイを有する、請求項１ないし６のいずれか一項に記載のシステム。
【請求項８】
前記ＮＡＣ  ＰＥＴ画像及び前記減衰マップを再構成する手段と、
前記ＮＡＣ  ＰＥＴ画像内の輪郭を使用して前記減衰マップ内の欠損したデータを補正する手段と、
前記補正された減衰マップを使用して減衰ＰＥＴデータを補正する手段と、
を有する、請求項１ないし７のいずれか一項に記載のシステム。
【請求項９】
前記メモリが、
前記ＮＡＣ  ＰＥＴ画像を生成するルーチンと、
前記輪郭を識別するように前記ＮＡＣ  ＰＥＴ画像をセグメント化するルーチンと、
前記減衰マップ内の欠損した領域を識別するルーチンと、
前記識別された輪郭をガイドとして使用して前記欠損した領域を補正するルーチンと、
前記補正された減衰マップを使用して減衰補正ＰＥＴ画像を再構成するルーチンと、
を含む機械実行可能命令を記憶し、前記プロセッサが、前記機械実行可能命令を実行する、請求項１ないし８のいずれか一項に記載のシステム。
【請求項１０】
非減衰補正（ＮＡＣ）陽電子放出断層撮影（ＰＥＴ）を使用して減衰マップを補正する方法において、
前記ＮＡＣ  ＰＥＴ画像を生成するステップと、
体輪郭を識別するように前記ＮＡＣ  ＰＥＴ画像をセグメント化するステップと、
前記減衰マップ内の欠損した領域を識別するステップと、
欠損補償に対して使用する適切な組織タイプを推測するように前記識別された輪郭を使用して前記減衰マップの前記欠損した領域を補正するステップと、
前記補正された減衰マップを使用して減衰補正ＰＥＴ画像を再構成するステップと、
を有する方法。
【請求項１１】
前記減衰マップを生成するのに使用される前記欠損した解剖学的画像データを取得するスキャンと、前記ＮＡＣ  ＰＥＴ画像及び前記減衰補正ＰＥＴ画像を生成するのに使用されるＰＥＴデータを取得するＰＥＴスキャンを順次的に実行するステップを有する、請求項１０に記載の方法。
【請求項１２】
前記欠損したスキャンと前記ＰＥＴスキャンとの間の患者の動きを識別するように前記取得されたＰＥＴデータから得られた前記体輪郭及び前記取得された欠損した画像データを使用するステップを有する、請求項１１に記載の方法。
【請求項１３】
前記減衰マップ、前記ＮＡＣ  ＰＥＴ画像、並びに前記ＮＡＣ  ＰＥＴ画像及び前記減衰マップのオーバレイをユーザに表示するステップを有する、請求項１０ないし１２のいずれか一項に記載の方法。
【請求項１４】
前記減衰マップ内のデータの精度の尤度を決定するステップを有する、請求項１０ないし１３のいずれか一項に記載の方法。
【請求項１５】
領域内の欠損したデータが所定の閾値より下の精度の尤度を持つかどうかを決定することにより前記減衰マップの前記欠損した領域を識別するステップを有する、請求項１４に記載の方法。
【請求項１６】
複数の体輪郭を識別するステップと、前記欠損した領域を識別した後に前記減衰マップ内の前記欠損したデータを補正するのに使用する前記欠損した領域に対応する体輪郭を選択するステップとを有する、請求項１０ないし１５のいずれか一項に記載の方法。
【請求項１７】
請求項１０ないし１６のいずれか一項に記載の方法を実行するようにプログラムされたプロセッサを有する解剖学的画像システム。
【請求項１８】
請求項１０ないし１６のいずれか一項に記載の方法を実行するように１以上のコンピュータを制御するソフトウェアを記憶したコンピュータ可読媒体。
【請求項１９】
前記体輪郭を放出境界として使用するステップと、散乱補正に対して単一散乱シミュレーションプロシージャを実行するステップと、前記減衰補正ＰＥＴ画像を再構成する場合に純粋散乱テイルを規定及び補正するようにテイルフィッティングプロシージャを実行するステップとを有する、請求項１０ないし１６のいずれか一項に記載の方法。
【請求項２０】
コンピュータ断層撮影（ＣＴ）画像を補正する方法において、
非減衰補正（ＮＡＣ）陽電子放出断層撮影（ＰＥＴ）画像を生成するステップと、
体輪郭を識別するように前記ＮＡＣ  ＰＥＴ画像をセグメント化するステップと、
前記ＣＴ画像内の欠損した又は減衰した領域を識別するステップと、
前記体輪郭をガイドとして使用して前記ＣＴ画像の欠損した又は減衰した領域と調和する組織タイプを推測するステップと、
補正されたＣＴ画像データセットを生成するように前記推測された組織タイプと調和するＣＴ画像データを前記ＣＴ画像の前記欠損した又は減衰した領域に投影するステップと、
前記ＣＴ画像を補正するように前記補正されたＣＴ画像データセットを逆投影するステップと、
を有する方法。
【発明の詳細な説明】
【技術分野】
【０００１】
本出願は、特に陽電子放出断層撮影（ＰＥＴ）スキャナ等のような患者撮像装置を含む患者撮像システムに応用される。しかしながら、記載される技術が、分光システム、他の放射性撮像シナリオ、及び他の撮像技術等にも応用されうると理解されるべきである。
【背景技術】
【０００２】
ＰＥＴ撮像において、コンピュータ断層撮影（ＣＴ）又は磁気共鳴（ＭＲ）スキャナをＰＥＴスキャナと結合する傾向がある。しかしながら、このようなシステムは、画像欠損（truncation）問題の対象である。例えば、ＭＲ及びＣＴ画像は、制限された所定の横断フィールドオブビュー（ＦＯＶ）内でのみ良好な品質を持つ。ＣＴ又はＭＲのＦＯＶより大きな患者又は関心体積（ＶＯＩ）をスキャンする場合、ＣＴ又はＭＲ画像は欠損する。ＣＴ又はＭＲ画像のＣＴ又はＭＲのＦＯＶを越えた部分は、ひどくアーチファクトを生じ、ＦＯＶの中の部分は、中程度にアーチファクトを生じる。ＰＥＴ再構成に対する減衰マップを得るのに欠損したＣＴ又はＭＲ画像を使用する場合、ＰＥＴ画像は不正確であり、及び／又はアーチファクトが生じうる。
【０００３】
更に、ＭＲは、物質内の陽子に対してのみ感受性があり、したがって、ＭＲ画像値と線形減衰係数との間に直接的な関係が存在しない。ＭＲ画像を使用してＰＥＴ再構成に対する減衰マップを得ようと試みる場合、得られた体輪郭は、実際のものより小さい可能性がある。
【０００４】
従来のマルチモーダルＭＲ／ＰＥＴ及びＣＴ／ＰＥＴシステムは、ＭＲ又はＣＴデータを取得し、次いでＰＥＴを取得し、前記ＰＥＴデータセットの減衰を補償するのに使用される減衰マップを生成するのに前記ＭＲ又はＣＴデータを使用する。しかしながら、前記ＣＴ又はＭＲデータは、対象が特定のサイズより大きい場合に欠損し、撮像装置のＦＯＶにフィットしない。前記ＣＴ又はＭＲのＦＯＶが、より大きな対象に対応するように増大される場合、ＣＴ又はＭＲ再構成ラグ及びアーチファクトが生じる。更に、ＣＴ又はＭＲのＦＯＶを増大させるのは高価である。加えて、欠損ＣＴ又はＭＲデータは、不完全な減衰マップに帰着し、取得されたＰＥＴデータの再構成中に不完全な減衰マップが使用されるＰＥＴ画像の品質を劣化させる。
【発明の概要】
【発明が解決しようとする課題】
【０００５】
本出願は、マルチモーダル撮像システムにおいて減衰補正する新しい改良されたシステム及び方法を提供し、これにより欠けている画像情報が、解剖学的画像において補償され、補正された解剖学的画像が、ＰＥＴ画像を補正するアーチファクト無しの減衰マップを生成するのに使用され、これは、上で参照された問題等を克服する。
【課題を解決するための手段】
【０００６】
一態様によると、解剖学的撮像システムは、対象のスキャン中に取得された欠損した解剖学的画像及び前記対象のＰＥＴスキャン中に取得された陽電子放出断層撮影（ＰＥＴ）データを記憶するメモリを含む。前記システムは、更に、前記取得されたＰＥＴデータから非減衰補正（ＮＡＣ）ＰＥＴ画像を再構成し、前記取得された欠損した解剖学的画像から減衰マップを生成し、前記ＮＡＣ  ＰＥＴ画像内の輪郭を使用して前記減衰マップ内の欠損したデータを補償するプロセッサを含む。
【０００７】
他の態様によると、非減衰補正（ＮＡＣ）陽電子放出断層撮影（ＰＥＴ）を使用して減衰マップを補正する方法は、前記ＮＡＣ  ＰＥＴ画像を生成するステップと、体輪郭を識別するために前記ＮＡＣ  ＰＥＴ画像をセグメント化するステップと、前記減衰マップ内の欠損した領域を識別するステップとを含む。前記方法は、更に、欠損した画像に対して使用する適切な組織タイプを推測するように前記識別された輪郭を使用して前記減衰マップの前記欠損した領域において欠損した画像を補正するステップと、前記補正された減衰マップを使用して減衰補正ＰＥＴ画像を再構成するステップとを含む。
【０００８】
他の態様によると、コンピュータ断層撮影（ＣＴ）画像を補正する方法は、非減衰補正（ＮＡＣ）陽電子放出断層撮影（ＰＥＴ）画像を生成するステップと、体輪郭を識別するように前記ＮＡＣ  ＰＥＴ画像をセグメント化するステップと、前記ＣＴ画像内の欠損した又は減衰した領域を識別するステップとを含む。前記方法は、更に、前記体輪郭をガイドとして使用して前記ＣＴ画像の欠損した又は減衰した領域と調和する組織タイプを推測するステップと、補正されたＣＴ画像データセットを生成するように前記推測された組織タイプと調和するＣＴ画像データを前記ＣＴ画像の前記欠損した又は減衰した領域上に投影するステップと、前記ＣＴ画像を補正するように前記補正されたＣＴ画像データセットを逆投影するステップとを含む。
【０００９】
１つの利点は、ＣＴ又はＭＲのフィールドオブビューが拡大されないことである。
【００１０】
他の利点は、関心体積の非減衰補正（ＮＡＣ）ＰＥＴ画像により提供される高品質の体積境界を使用することにある。
【００１１】
本イノベーションの更に他の利点は、以下の詳細な説明を読み、理解すると当業者により理解される。
【００１２】
このイノベーションは、様々な構成要素及び構成要素の組み合わせ、並びに様々なステップ及びステップの組み合わせの形をとりうる。図面は、様々な態様を説明するだけの目的であり、本発明を限定すると解釈されるべきでない。
【図面の簡単な説明】
【００１３】
【図１】関心体積又は対象の周辺又は外側境界を決定するのに非減衰補正ＰＥＴ画像を使用するシステムを示す。
【図２】様々なフィーチャによって、欠損した減衰マップを補正するのにＮＡＣ  ＰＥＴ画像を使用することに関連した方法を示す。
【図３】３Ｄ画像表現を生成するように個別の又は共有の再構成プロセッサにより再構成される撮像データを生成する、ＰＥＴ、ＣＴ又はＭＲＩ等のような、複数の撮像装置を持つ典型的な病院システムを示す。
【発明を実施するための形態】
【００１４】
図１は、関心対象（ＶＯＩ）又は対象の周辺又は外側境界を決定するのに非減衰補正（ＮＡＣ）ＰＥＴ画像を使用するシステム１０を示す。ＰＥＴスキャンが、減衰補正なしで再構成される場合、結果の画像は、中心の近くで暗く、縁に向かって漸次的に明るくなる。これは、前記ＰＥＴスキャンが、前記対象又はＶＯＩの外周の輪郭を描くのに使用されることを可能にする。一度前記外周が決定されると、これは、様々な形で使用されることができる。第一に、前記フィールドオブビュー（ＦＯＶ）と前記患者の外周との間でひどくアーチファクトを生じたＣＴ又はＭＲ画像を名目上の軟組織で置き換えるのに使用されることができ、補償されたＣＴ又はＭＲ画像は、この場合、前記ＰＥＴスキャンにおける減衰補正に対して使用される。このセクションにおいてＣＴ画像が例として提示されるが、ＭＲ、ＳＰＥＣＴ−ＣＴ、及び投影Ｘ線等も考えられる。代替的には、一度前記対象又はＶＯＩの外周が知られると、この情報は、前記欠損したＣＴ又はＭＲ画像内のアーチファクトを減少するのに使用されることができる。例えば、置き換えられた軟組織を持つＣＴ又はＭＲ画像が、投影データに投影され、再び逆投影されることができる。他の例として、前記対象の前記ＦＯＶの外側の部分は、名目上の軟組織の減衰特性を割り当てられることができ、前記ＣＴデータは、前記名目上の軟組織の減衰に対して放射線単位（ray by ray）で調節されることができる。
【００１５】
システム１０は、ＰＥＴスキャナ１４及びＣＴ装置１６の各々に結合されるユーザインタフェース（例えば、ワークステーション等）を有する。ユーザインタフェース１２は、メモリ２０に結合されるプロセッサ１８を有し、両方ともディスプレイ２２に結合される。メモリ２０は、ＰＥＴスキャナ１４及び／又はＣＴ装置１６からの画像データ２４、取得されたスキャンデータからのＰＥＴ及び／又はＣＴ画像表現を再構成する再構成アルゴリズム２６、ＣＴデータ及び／又は画像を補正するＣＴ補正アルゴリズム２８、減衰したＰＥＴデータを補償するためにＣＴデータから生成される減衰補正マップ３０、ＰＥＴデータ及び／又は画像を補正するＰＥＴ補正アルゴリズム３２等を記憶し、前記プロセッサは、これらを生成、分析及び／又は実行する。
【００１６】
一実施例において、プロセッサ１８は、取得されたＣＴデータから欠損した（例えば、補正されていない、又は生の）減衰マップを生成する。前記減衰マップの欠損した部分は、予備知識を使用して、例えば、取得されたＣＴデータを予測値、前記対象に対して以前に取得されたＣＴデータ、又は複数の基準対象から生成された解剖学的構造の一般的アトラスと比較することにより、識別される。前記プロセッサは、ＰＥＴ再構成アルゴリズムを実行して、取得されたＰＥＴデータからＮＡＣ  ＰＥＴ画像を再構成し、前記ＮＡＣ画像は、前記減衰マップの欠損した部分に対応する、前記対象内の解剖学的構造、腫瘍、又は他の構造の輪郭を識別するようにセグメント化される。前記プロセッサは、前記ＮＡＣ  ＰＥＴ画像から識別された前記輪郭を使用して前記ＣＴ減衰マップの前記ＦＯＶの外側の部分を「埋める」ために１以上のＣＴ補正アルゴリズム２８を実行する。例えば、前記減衰マップが、前記対象の肝臓の上面の近くで欠損している場合、前記ＮＡＣ  ＰＥＴ画像は、前記対象の肝臓の上面を表現する輪郭を識別するようにセグメント化される。前記プロセッサは、前記輪郭を分析し、前記輪郭に沿った又は近くの組織タイプに関して推測する。このような推測に基づいて、前記プロセッサは、軟組織、肝組織、又は前記減衰マップの欠損部分に対して推測される組織タイプと同様の密度を持つ他の組織のような適切なマテリアルで前記減衰マップの欠損部分を埋める。前記プロセッサは、この場合、ＰＥＴ補正アルゴリズム３２を実行して、アーチファクトの無い減衰補正ＰＥＴ画像表現を再構成する。
【００１７】
他の例によると、ＣＴ装置１６のＦＯＶは、約６０ｃｍである。対象が直径６０ｃｍより大きい又は前記対象の一部が６０ｃｍのＦＯＶの外側に配置される場合、前記ＣＴデータは、欠損する。減衰に対する補正なしで前記ＰＥＴ画像を再構成することは、表面において明るく、中心に向かって暗くなる画像を与える。したがって、前記対象の表面を示す高品質輪郭は、前記ＮＡＣ  ＰＥＴ画像において生成されることができる。一度前記表面の輪郭が描かれると、前記ＣＴ画像における欠損は、補正されることができる。例えば、軟組織は、前記対象の表面（例えば皮膚）の近くで見つけられる可能性が高いので、軟組織ＣＴデータは、ＭＲ減衰マップの欠損した部分に補間されることができる。
【００１８】
前記システムは、体輪郭の近くの対象又は構造の一部がＣＴ画像において見えないＰＥＴ／ＣＴ撮像シナリオにおいて使用されることができる。代替的には、前記システムは、２つのモダリティが順次的に（例えば同時にではなく）実行されるＰＥＴ／ＣＴ撮像シナリオにおいて使用されることができ、したがって前記ＰＥＴスキャンから得られる輪郭は、前記ＣＴ画像と比較され、前記ＰＥＴスキャンと前記ＣＴスキャンとの間の潜在的な対象の動きを推測することができる。加えて、前記システムは、前記ＮＡＣ  ＰＥＴ画像から得られた輪郭が単一散乱（single-scatter）シミュレーションを使用する散乱補正に対する放出境界（emission boundary）として使用されるＰＥＴ撮像シナリオにおいて使用されることができ、ここでテイルフィッティング（tail fitting）プロシージャは、（例えば、真の同時発生事象（true coincidence event）の不在における）純粋散乱（pure-scatter）テイルを規定するのに放出境界を使用する。
【００１９】
図２は、様々なフィーチャによって、欠損した減衰マップを補正するのにＮＡＣ  ＰＥＴ画像を使用することに関連した方法を示す。前記方法は、一連の動作として記載されるが、記載されたゴール及び／又は結果を達成するために全ての動作が必要であるわけではなく、一部の動作が、特定の態様によって、記載された特定の順序とは異なる順序で実行されてもよいと理解されるべきである。
【００２０】
５０において、取得されたＰＥＴデータは、減衰補正無しで再構成され、ＮＡＣ  ＰＥＴ画像を生成する。前記ＮＡＣ  ＰＥＴ画像は、５２において、対象内の関心体積（例えば、腫瘍又は解剖学的構造等）の１以上の輪郭を識別するようにセグメント化される。５４において、取得されたＣＴ又はＭＲデータから生成された減衰マップは、減衰、小さなＣＴ又はＭＲフィールドオブビュー等によって生じうるようなＣＴ又はＭＲデータの欠損した部分を識別するように分析される。５６において、ＣＴ又はＭＲデータの識別された欠損部分は、欠損したＣＴ又はＭＲデータの解剖学的場所又は位置に対応する輪郭をガイドとして使用して補償される（例えば埋められる）。例えば、前記輪郭は、前記関心体積の表面又は境界を描くので、前記輪郭の近くの組織のタイプ及び／又は特性に関して推測されることができ、置換ＣＴ又はＭＲデータは、このような推測に応じて前記ＣＴ又はＭＲ減衰マップの欠損した領域を埋めるように補間されることができる。５８において、減衰補正ＰＥＴ画像は、前記補正されたＭＲ減衰マップを使用して再構成される。
【００２１】
一実施例において、前記減衰マップの欠損部分は、取得されるとデータに対する精度確率を識別する既知のデータ取得アルゴリズムを使用して識別される。取得されたデータの精度の確率は、５４において評価され、所定の閾値より低い精度の尤度を持つデータは、欠損データとして識別される。前記欠損データは、この場合、５６において補間又は置換ＣＴデータと置き換えられる。
【００２２】
一例によると、前記取得されたＣＴデータセット内のデータ点は、それぞれの値が近隣のデータ点と調和しているかどうかを決定するために近隣データ点と比較されることができる。所定の領域が、予測値に対応しない多数のデータ点を持つ場合、前記所定の領域内のデータ点が正確である確率は低い。前記確率が所定の閾値レベルより低い場合、前記領域は、欠損領域として識別され、補正又は補償に対して割り当てられることができる。例えば、前記欠損したＣＴデータ領域の解剖学的場所に対応するセグメント化された体輪郭は、前記ＮＡＣ  ＰＥＴ画像から生成されることができ、前記ＣＴデータの欠損部分を埋める場合に使用される体組織タイプを識別する際にガイドとして使用されることができる。
【００２３】
前記欠損したＣＴ画像を補正する一実施例において、ＣＴ画像のＦＯＶは、例えばより大きな直径の円に拡大される。欠損した組織の形状は、前記ＮＡＣ  ＰＥＴ画像から決定される。前記欠損した形状は、適切な組織に対する減衰値で埋められる。一例において、前記形状は、名目上の組織の減衰値で埋められる。患者が一方に中心から外れる他の例において、前記欠損した形状は、前記患者の他方の側からの減衰値の鏡像で埋められることができる。他の例において、ルックアップテーブル又はメモリが、患者の欠損していない名目上の減衰画像を記憶する。補正される画像（スライス）に対応する画像（スライス）は、取り出され、前記ＮＡＣ  ＰＥＴ画像からの患者輪郭にしたがってスケーリングされ、前記スケーリングされた名目上の画像の対応する部分が、前記欠損した形状を埋めるのに使用される。
【００２４】
前記欠損領域を埋めた画像は、補正された画像を生成するように逆投影される投影データに順方向投影される。前記補正された画像が依然としてアーチファクトを含む場合、前記欠損した形状は、前記テーブルからの、名目上の組織の同じ補正減衰値で再び埋められることができ、順方向投影及び逆投影プロセスが繰り返される。
【００２５】
他の実施例において、前記欠損した形状は、補正減衰値及び元の投影データの各放射線に対する前記欠損した形状の寄与で埋められる。例えば、前記欠損した形状が前記補正減衰値で埋められた後に、前記ＣＴ画像の残りは、ゼロにされる。前記欠損した形状は、順方向投影され、前記元の投影データに対応する補正ＣＴ投影データを生成する。各接続投影は、前記対応する元の投影を調節するのに使用され、例えばこれから減算され、前記補正された減衰マップを生成するように逆投影される補正された投影データを作成する。オプションとして、合成された減衰値を持つ前記欠損した形状は、前記補正された減衰マップと結合されることができる。
【００２６】
図３を参照すると、典型的な病院システムは、３Ｄ画像表現を生成するように個別の又は共有の再構成プロセッサ１０２により再構成される撮像データを生成するＰＥＴ１４、ＣＴ１６（又はＭＲ）等のような複数の撮像装置１００を含みうる。前記画像表現は、ネットワーク１０４上で中央メモリ１０６又はローカルメモリ１０８に通信される。
【００２７】
前記ネットワークに接続されたステーション１１０において、オペレータは、ユーザインタフェース１２を使用して、選択された３Ｄ患者ＣＴ又はＭＲ減衰マップを中央メモリ１０６及びローカルメモリ１０８に、又はこれらの間で移動する。ビデオプロセッサ１１６は、前記選択された減衰マップをディスプレイ２０の第１のビューポート１１８1において表示する。前記ＮＡＣ  ＰＥＴ画像は、第２のビューポート１１８2において表示される。第３のビューポート１１８3は、前記減衰マップ及び前記ＮＡＣ  ＰＥＴ画像のオーバレイを表示することができる。例えば、ユーザは、前記ＰＥＴ内のランドマークと、前記ＮＡＣ  ＰＥＴ画像内の構造又はランドマークに対応するＭＲ又はＣＴ減衰マップを位置合わせすることを可能にされることができる。例えば、前記オペレータは、インタフェース１２により、前記減衰マップ画像内のランドマークに対応する前記ＮＡＣ  ＰＥＴ画像ランドマークを（例えば、マウス、スタイラス又は他の適切なユーザ入力装置を使用して）選択する。代替的には、前記ＮＡＣ  ＰＥＴ減衰マップは、プロセッサ１６内のプログラムにより自動的に位置合わせされることができる。ユーザインタフェース１２内のプロセッサ１８（図１）は、この場合、補正アルゴリズムを実行し、前記減衰マップ内の欠損領域を埋める場合に使用する適切な組織タイプを推測する。
【００２８】
前記補正された減衰マップは、この場合、アーチファクト無しの減衰補正ＰＥＴ画像を再構成するのに使用されることができ、これは、他の応用で使用されてもよい。例えば、治療計画ステーション１３０は、治療セッションを計画するのに前記減衰補正ＰＥＴ画像を使用することができる。一度前記オペレータの満足いくように計画されると、前記計画された治療は、自動化されたプロシージャに対して適切である場合、前記計画されたセッションを実施する治療装置１３２に転送されることができる。他のステーションは、様々な他の計画プロセスにおいて前記減衰補正ＰＥＴ画像を使用することができる。
【００２９】
他の実施例において、ビューポート１１８3に表示されるオーバレイは、前記ＰＥＴ画像に対して前記ＣＴ又はＭＲ画像データを重み付けするように調節可能であり、又は逆も同様である。例えば、機械式であるか又はディスプレイ２０上に提示され、入力装置を用いて操作されることができるスライダバー又はノブ（図示されない）は、前記画像又は前記ＰＥＴ画像の重みを変更するように調節されることができる。一例において、オペレータは、（ビューポート１１８1に示されるような）純粋なＣＴ又はＭＲ画像データからビューポート１１８3内の画像を、ＣＴ／ＭＲ及びＰＥＴ画像データの複数の及び／又は連続的な組み合わせにより、（ビューポート１１８2に示されるような）純粋なＰＥＴ画像データに対して調節することができる。例えば、ＰＥＴ画像データに対するＣＴ又はＭＲ画像データの比は、０：１から１：０まで離散的に又は連続的に調節されることができる。他のオプションとして、前記ＣＴ又はＭＲ画像は、グレイスケールで表示されることができ、前記ＰＥＴ画像は、色づけされることができる。前記ＣＴ又はＭＲ画像内の解剖学的ランドマークは、前記ＰＥＴ画像を前記対象に関連付けるのを助ける。
【００３０】
このイノベーションは、複数の実施例を参照して記載されている。修正例及び変更例は、先行する詳細な説明を読み、理解すると他に思い付きうる。前記イノベーションは、添付の請求項又は同等物の範囲内である限り、全てのこのような修正例及び変更例を含むと解釈されると意図される。
【図１】
0005462865.tif 000002
【図２】
0005462865.tif 000003
【図３】
0005462865.tif 000004